(57)【要約】      （修正有）【課題】クラブヘッドの後方部分の回りに、打撃フェースから本体部分へと遷移して改善した性能を実現する複数の凹みを具備するゴルフクラブヘッドを提供する。【解決手段】打撃フェース１０２から後方本体へと厚さ変化の遷移を容易に実現する凹部遷移領域１１２を具備するゴルフクラブヘッド１００であって、クラウン１０４、ソール１０６、およびスカート１０８の少なくとも１つが、凹部遷移領域を除いて、打撃フェース側の端部から打撃フェースから遠ざかる方向に厚さを減少させる厚さプロフィールを具備する全体遷移領域を有し、全体遷移領域において、打撃フェース側の端部と平行な方向に、凹部遷移領域と、厚さプロフィールを有する領域１１０とが並び、凹部遷移領域は大きな厚さ減少スロープを実現する。【選択図】図１
0003210519.tif 000002
【実用新案登録請求の範囲】
【請求項１】
ゴルフクラブヘッドであって、
上記ゴルフクラブヘッドの前面部分に位置決めされる打撃フェース部分と、
上記打撃フェース部分の後方部分に結合する本体部分とを有し、
上記本体部分は、さらに、
上記打撃フェース部分の後方の上側部分に結合されるクラウン部分と、
上記打撃フェース部分の後方の底側部分に結合されるソール部分と、
上記クラウン部分を上記ソール部分に周回させて結合するスカート部分とを有し、
上記クラウン部分、上記ソール部分、および上記スカート部分の少なくとも１つが、凹部遷移領域を除いて、上記打撃フェース部分側の端部から上記打撃フェース部分から遠ざかる方向に厚さを減少させる厚さプロフィールを具備する全体遷移領域を有し、上記全体遷移領域において、上記打撃フェース部分側の端部と平行な方向に、上記凹部遷移領域と、上記厚さプロフィールを有する領域とが並び、
上記凹部遷移領域は、上記クラウン部分、上記ソール部分、および上記スカート部分の上記少なくとも１つの外側表面または内側表面に形成された凹部を有する領域であって、上記クラウン部分、上記ソール部分、および上記スカート部分の上記少なくとも１つの局所的な厚さが当該凹部の深さに応じて薄くなる領域であることを特徴とするゴルフクラブヘッド。
【請求項２】
ゴルフクラブヘッドであって、
上記ゴルフクラブヘッドの前面部分に位置決めされる打撃フェース部分と、
上記打撃フェース部分の後方部分に結合する本体部分とを有し、
上記本体部分は、さらに、
上記打撃フェース部分の後方の上側部分に結合されるクラウン部分と、
上記打撃フェース部分の後方の底側部分に結合されるソール部分と、
上記クラウン部分を上記ソール部分に周回させて結合するスカート部分とを有し、
上記クラウン部分、上記ソール部分、および上記スカート部分の少なくとも１つが、凹部遷移領域を除いて、上記打撃フェース部分側の端部から上記打撃フェース部分から遠ざかる方向に厚さを減少させる厚さプロフィールを具備する全体遷移領域を有し、上記全体遷移領域において、上記打撃フェース部分側の端部と平行な方向に、上記凹部遷移領域と、上記厚さプロフィールを有する領域とが並び、
上記凹部遷移領域は、上記クラウン部分、上記ソール部分、および上記スカート部分の上記少なくとも１つの外側表面または内側表面に形成された凹部を有する領域であって、上記クラウン部分、上記ソール部分、および上記スカート部分の上記少なくとも１つの局所的な厚さが当該凹部の深さに応じて薄くなる領域であり、
上記凹部遷移領域の凹部遷移領域厚さ減少スロープが０．０６より大きく、
上記凹部遷移領域厚さ減少スロープは、上記凹部遷移領域の厚さの変化を上記凹部遷移領域の長さで割ったものとして定義され、上記凹部遷移領域の長さは、上記凹部遷移領域において上記打撃フェース部分から、上記クラウン部分、上記ソール部分、および上記スカート部分の少なくとも１つへ遷移する、当該ゴルフクラブヘッドの内部の曲率半径の端部の線と、上記打撃フェース部分側の端部から上記打撃フェース部分から遠ざかる経路に沿って厚さが減少して上記厚さプロフィールの最小厚さに到達する線との間の距離であることを特徴とするゴルフクラブヘッド。
【請求項３】
ゴルフクラブヘッドであって、
上記ゴルフクラブヘッドの前面部分に位置決めされる打撃フェース部分と、
上記打撃フェース部分の後方部分に結合する本体部分とを有し、
上記本体部分は、さらに、
上記打撃フェース部分の後方の上側部分に結合されるクラウン部分と、
上記打撃フェース部分の後方の底側部分に結合されるソール部分と、
上記クラウン部分を上記ソール部分に周回させて結合するスカート部分とを有し、
上記クラウン部分は、２またはそれ以上の複数の凹部遷移領域を除いて、上記打撃フェース部分側の端部から上記打撃フェース部分から遠ざかる方向に厚さを減少させる厚さプロフィールを具備する全体遷移領域を有し、上記全体遷移領域は、ヒールおよびトウの方向の中央に位置づけられる、上記厚さプロフィールを具備する中央遷移領域を含み、
上記凹部遷移領域は、上記クラウン部分の外側表面または内側表面に形成された凹部を有する領域であって、上記クラウン部分の局所的な厚さが当該凹部の深さに応じて薄くなる領域であり、
上記２またはそれ以上の複数の凹部遷移領域は上記ヒールおよびトウの方向に上記中央遷移領域から離れて位置決めされることを特徴とするゴルフクラブヘッド。
【請求項４】
ゴルフクラブヘッドであって、
上記ゴルフクラブヘッドの前面部分に位置決めされる打撃フェース部分と、
上記打撃フェース部分の後方部分に結合する本体部分とを有し、
上記本体部分は、さらに、
上記打撃フェース部分の後方の上側部分に結合されるクラウン部分と、
上記打撃フェース部分の後方の底側部分に結合されるソール部分と、
上記クラウン部分を上記ソール部分に周回させて結合するスカート部分とを有し、
上記クラウン部分、上記ソール部分、および上記スカート部分の少なくとも１つが、凹部遷移領域を除いて、上記打撃フェース部分側の端部から上記打撃フェース部分から遠ざかる方向に厚さを減少させる厚さプロフィールを具備する全体遷移領域を有し、上記全体遷移領域において、上記打撃フェース部分側の端部と平行な方向に、上記凹部遷移領域と、上記厚さプロフィールを有する領域とが並び、
上記凹部遷移領域は上記ゴルフクラブヘッドのキャビティ内に位置決めされ、
上記凹部遷移領域は、上記クラウン部分、上記ソール部分、および上記スカート部分の上記少なくとも１つの内側表面に形成された凹部を有する領域であって、上記クラウン部分、上記ソール部分、および上記スカート部分の上記少なくとも１つの局所的な厚さが当該凹部の深さに応じて薄くなる領域であることを特徴とするゴルフクラブヘッド。
【考案の詳細な説明】
【技術分野】
【０００１】
この考案は、全般的には、フェースから本体へ可変厚さで遷移するゴルフクラブヘッドに関する。より具体的には、この考案は、クラブヘッドの後方部分の回りに、打撃フェースから本体部分へと遷移して改善した性能を実現する複数の凹みを具備するゴルフクラブヘッドに関する。
【背景技術】
【０００２】
ゴルフクラブの性能を改善するために、ゴルフクラブ設計者は、ゴルフクラブの裁量的な重量を最大化することを試み、裁量的な重量をゴルフクラブヘッド内のより戦略的な位置に移動させて配置することを可能にするというジレンマにしばしば直面する。
【０００３】
極めて基本的な先の設計ガイドラインの背景にある挑戦を充分に理解するために、「裁量的重量」の概念の意味および重要性を第１に検討することは意義深いことである。一度、戦略的重量の概念が説明されると、つぎに、ゴルフクラブヘッドの内部において裁量的重量をどのようにして、また、どこに配置してゴルフクラブの性能を改善させるかという検討に移ることができる。
【０００４】
ゴルフ業界において広く知られているように、裁量的重量は、フェース、クラウン、ソール、スカート、ホーゼルや付随的な部品のようなゴルフクラブの基礎的な要素を製造しまたは形成するために使用されることがない任意の付加的な重量を指す。ゴルフクラブにはいくつかの要素があり、これら具体的な要素の各々は必要な採用限度の重量を伴うので、ゴルフクラブの形成には「理論的な最小重量」がある。しかしながら、材料科学および製造手法の発展に伴い、この「理論的な最小重量」は、しばしば、長年に渡って減少する変動量であり、このため、ゴルフクラブヘッドにおいて実現可能な裁量的重量の量が増加している。
【０００５】
ゴルフクラブ設計者にとって裁量的重量は重要であり、それは、ゴルフクラブの重心を変更して、種々の設計目的に合致する重心のゴールを実現できるからである。物理法則がゴルフクラブおよびゴルフボールの間の衝突を支配するので、ゴルフボールの軌道結果は顕著にゴルフクラブヘッドの重心に影響される。重心が低く、かつ、深いと、ゴルフクラブは打ち出しが高く、またスピンが小さいゴルフボールを助長し、他方、重心が高く、前方にあると、打ち出しが低く、スピンが大きなゴルフボールを助長する。極限的には、重心の正確な位置を決定することは、厳格な科学であると同程度の芸術形式でもあって良いけれども、裁量的な重量を最大化させると、ゴルフクラブ設計者に重心移動の最大量を付与することが可能となる。
【０００６】
上述に基づくと、ゴルフクラブ設計者の主たる懸案事項の１つが、所定の材料、設計、またはプロセスの改善によって現在では必要でなくなっている、ゴルフクラブヘッドの部分から重量をなくすことによって、ゴルフクラブの裁量重量を最大化することであることが理解できる。重量を節約できる場所がわかれば、裁量的重量が多くなり、究極的には、ゴルフクラブヘッドの性能を改善することに結びつく。米国特許第５，９９７，４１５号（Ｗｏｏｄ）はゴルフクラブヘッドにおける裁量的重量、並びに、リングおよびフレームを用いることにより裁量的な重量を増大させる初期の試みを図説している。
【０００７】
米国特許第５，３１８，３００号（Ｓｃｈｍｉｄｔ）は、ゴルフクラブヘッドの打撃フェースの厚さを調整して性能を改善させる初期の試みの他の１つを示す。Ｓｃｈｍｉｄｔの目的は、打撃フェースに渡るボール速度の改善であったけれども、打撃フェースの特定の部分を薄くすることは重量を省略して裁量的重量を増加させるのに役立つ。
【０００８】
米国特許第７，１４４，３３１号（Ｐｏｙｎｏｒ）は、前面フェースに溶接されたラップアラウンドを設けて、支持なしのフェース領域を実現することによりゴルフクラブの裁量的重量を増大させる他の試みを示す。この考えは、不必要な材料をゴルフクラブの所定部分から除去してゴルフクラブヘッド内に裁量的重量を増やすものである。
【０００９】
最近に至るまで、ゴルフクラブヘッドの壁の厚さを操作する場合には、ほとんど、常に、ゴルフクラブヘッドの最も薄い部分、すなわち打撃フェースに焦点が当てられていた。しかしながら、ゴルフクラブヘッドのその部分は、最も薄いけれども、ゴルフボールとの衝撃のストレスに耐えなければならないために多分には薄くすることはできない。そのため、裁量的重量をさらに見いだすためにはゴルフクラブヘッドの他の部分も考慮する必要がある。
【００１０】
米国特許第７，７８９，７７３号（Ｒａｅ等）は、ゴルフクラブヘッドのクラウン部分を調整して裁量的重量を増大させることを試みる。米国特許第７，７８９，７７３号（Ｒａｅ等）は、そのために、クラウンの形状を地面平面方向へ向かうリセスによって変更して複数の落ち込み角度および復元角度を含んで慣用的な形状および幾何から逸脱したクラウン部分を形成する。この試みは裁量的重量を形成する上では有意義であるけれども、ゴルフクラブヘッドの美観を損なってしまう。さらに、ゴルフクラブヘッドのクラウンを操作すると、ゴルフクラブヘッドの音響品質を損ないがちであり、その必要性を減少させる。
【００１１】
したがって、ゴルフクラブヘッドの美観を損なうことなしにゴルフクラブヘッドの裁量的重量を求め、増大させる方法が要請されている。より具体的には、この分野において、ゴルフクラブヘッドの打撃フェースと後方部分との間の遷移部分に焦点を置くことによって裁量的重量を増大させ、さらに、ゴルフクラブヘッドのクラウン部分のストレスを標準化することにより性能を向上させ、ゴルフクラブヘッドの美観および音響フィードバックを保全する方法が要請されている。
【先行技術文献】
【特許文献】
【００１２】
【特許文献１】米国特許第５，９９７，４１５号明細書
【特許文献２】米国特許第５，３１８，３００号明細書
【特許文献３】米国特許第７，１４４，３３１号明細書
【特許文献４】米国特許第７，７８９，７７３号明細書
【考案の開示】
【００１３】
この考案の一側面において、  ゴルフクラブヘッドは、上記ゴルフクラブヘッドの前面部分に位置決めされる打撃フェース部分と、上記打撃フェース部分の後方部分に結合する本体部分とを有し、上記本体部分は、さらに、上記打撃フェース部分の後方の上側部分に結合されるクラウン部分と、上記打撃フェース部分の後方の底側部分に結合されるソール部分と、上記クラウン部分を上記ソール部分に周回させて結合するスカート部分とを有する。上記クラウン部分、上記ソール部分、および上記スカート部分の少なくとも１つが凹部遷移領域を有し、上記凹部遷移領域の凹部遷移領域厚さ減少スロープが約０．０６より大きく、上記凹部遷移領域厚さ減少スロープは、上記凹部遷移領域の厚さの変化を上記凹部遷移領域の長さで割ったものとして定義される。
【００１４】
この考案の他の側面において、ゴルフクラブヘッドは、上記ゴルフクラブヘッドの前面部分に位置決めされる打撃フェース部分と、上記打撃フェース部分の後方部分に結合する本体部分とを有し、上記本体部分は、さらに、上記打撃フェース部分の後方の上側部分に結合されるクラウン部分と、上記打撃フェース部分の後方の底側部分に結合されるソール部分と、上記クラウン部分を上記ソール部分に周回させて結合するスカート部分とを有する。上記クラウン部分は、さらに、中央遷移領域と、２またはそれ以上の複数の凹部遷移領域とを有し、上記２またはそれ以上の複数の凹部遷移領域はヒールおよびトウの方向に上記中央遷移領域から離れて位置決めされる。
【００１５】
この考案のさらに他の側面において、ゴルフクラブヘッドは、上記ゴルフクラブヘッドの前面部分に位置決めされる打撃フェース部分と、上記打撃フェース部分の後方部分に結合する本体部分とを有し、上記本体部分は、さらに、上記打撃フェース部分の後方の上側部分に結合されるクラウン部分と、上記打撃フェース部分の後方の底側部分に結合されるソール部分と、上記クラウン部分を上記ソール部分に周回させて結合するスカート部分とを有する。上記クラウン部分、上記ソール部分、および上記スカート部分の少なくとも１つが凹部遷移領域を有し、上記凹部遷移領域は上記ゴルフクラブヘッドのキャビティ内に位置決めされる。
【００１６】
この考案のこれらの、または他の特徴、側面、および利点は以下の図面、説明および特許請求の範囲を参照して理解されるであろう。
【００１７】
この考案の、先の、または他の特徴および利点は、添付図面において図説される、この考案の以下の説明から明らかであろう。添付図面はここに組み入れて明細書の一部を構成し、この考案の原理を説明するのに役立ち、同業者がこの考案を実施することを可能にする。
【図面の簡単な説明】
【００１８】
【図１】この考案の事例的な実施例に従うゴルフクラブヘッドの斜視図である。
【図２】この考案の事例的な実施例に従うゴルフクラブヘッドの平面図であり、断面線Ａ−Ａ'およびＢ−Ｂ'を説明するものである。
【図３】この考案の事例的な実施例に従うゴルフクラブヘッドの、図２に示される断面線Ａ−Ａ'に沿う断面図である。
【図４】図３に示される円形領域ｘの拡大断面図である。
【図５】この考案の事例的な実施例に従うゴルフクラブヘッドの、図２に示される断面線Ｂ−Ｂ'に沿う断面図である。
【図６】図５に示される円形領域ｙの拡大断面図である。
【図７】この考案の代替的な実施例に従うゴルフクラブヘッドの斜視図である。
【図８】この考案の代替的な実施例に従うゴルフクラブヘッドの、図２に示される断面線Ｂ−Ｂ'に沿う断面図である。
【図９】図８に示される円形領域ｚの拡大断面図である。
【図１０】この考案の他の代替的な実施例に従うゴルフクラブヘッドの斜視図である。
【図１１】この考案の他の代替的な実施例に従うゴルフクラブヘッドのトウ側図であり、断面線Ｃ−Ｃ'を説明するものである。
【図１２】図１１に示すゴルフクラブヘッドの断面線Ｃ−Ｃ'に沿う断面図である
【図１３】図１２に示される円形領域ｗの拡大断面図である。
【考案を実施するための形態】
【００１９】
以下の詳細な説明は、この考案を実施する最良の現行企画モデルのものである。この説明は限定的な意味で受け取られるべきではなく、この考案の全体的な原理を説明する目的でのみなされている。この考案の範囲は添付の実用新案登録請求の範囲により最も良く規定されているからである。
【００２０】
種々の考案の特徴が以下に説明され、その各々は他の特徴と独立に採用されてもよいし、他の特徴と組みあわされて使用されても良い。ただし、考案の任意の１つの特徴は上述した問題のいずれも、またはすべてを扱わないかもしれないし、上述した問題の１つのみを取り扱うかもしれない。さらに、上述した問題の１つまたは複数は、以下説明される特徴のいずれでも取り扱われないかもしれない。
【００２１】
添付図面の図１は、この考案の事例的な実施例に従うゴルフクラブヘッド１００の斜視図を示し、これは打撃フェース部分１０２およびゴルフクラブヘッド１００の後方部分に結合された本体部分を具備する。ゴルフクラブヘッドの本体部分は、全般的には、打撃フェース部分１０２の後方の上方部分に結合するクラウン部分（単に「クラウン」ともいう）１０４と、打撃フェース部分１０２の後方の底部分に結合するソール部分１０６と、周囲においてクラウン部分１０４をソール部分１０６に結合するスカート部分１０８とを具備して良い。さらに、この実施例のクラウン部分１０４は１つの中央遷移領域１１０と、２またはそれ以上の複数の凹部遷移領域１１２とを含んで、クラウン部分１０４の厚さを調整して良い。複数の凹部遷移領域１１２は、スカロップ、トラフ（鉢）、窪み（コンキャビティ）のようであって良く、すなわち、この考案の範囲および内容から逸脱しない範囲で任意の他の凹部形状を含んで良い。この事例的な実施例において、２またはそれ以上の複数の凹部遷移領域１１２はクラウン１０４の前方部分の近くで、かつ、打撃フェースの近くで、ヒール・トウ方向に中央遷移領域１１０から離れて配置される。しかしながら、他の代替的な実施例において、凹部遷移領域１１２は、この考案の範囲および内容から逸脱することなしに、ゴルフクラブヘッド１００の代替的な部分に配置されて良い。
【００２２】
２またはそれ以上の複数の凹部遷移領域１１２は純粋にクラウン１０４上の装飾的な形状として見えるけれども、これらはゴルフクラブヘッド１００の性能を改善する上で、実際に、非常に重要な役割を果たす。第一に、２またはそれ以上の複数の凹部遷移領域１１２は、図示の位置に、戦略的に配置され、ストレスを受けることが少ない、クラウン１０４の部分で重量を少なくしてゴルフクラブヘッド１００の裁量的重量を増加させて良い。第２の利点は、第１の利点と密接に関連することであり、ゴルフボールとの衝突に際して最も大きなストレスを受ける、クラウン１０４の部分から離れたクラウン１０４の前方部分に大きなストレスレベルを再分配するのに役立つという利点である。当該ゴルフクラブ１００は、打撃フェース１０２への前方遷移の近くでクラウン１０４のヒール部分およびトウ部分を薄くして、もって、通常では中央遷移領域１１０で生じる大きなストレス領域を開放するのに役立たせることによって、これが実現される。最後に、図１に示される、２またはそれ以上の複数の凹部領域１１２は、ゴルフクラブヘッド１００がゴルフボールと衝突するときのゴルフクラブヘッド１００の音響を改善するために戦略的に配置することも可能である。
【００２３】
添付図面の図２は、ゴルフクラブヘッド２００の平面図であり、断面線Ａ−Ａ'およびＢ−Ｂ'が示される。断面線Ａ−Ａ'は打撃フェース部分２０２の中心を通り抜ける前方−後方方向にゴルフクラブを二分割させる。この断面によって、中央遷移領域２１０の幾何形状が図３に詳細に示すことが可能になる。これに付け加えて、図２は断面線Ｂ−Ｂ'をも特定可能にし、ゴルフクラブヘッドのこの線に沿う断面図は、図５において、２またはそれ以上の複数の凹部領域２１２の形状および幾何に関するより詳細を提供する。
【００２４】
図２は、ゴルフクラブヘッド２００の断面図に必要な情報を提供するのに加えて、中央遷移領域２１０と、２またはそれ以上の複数の凹部領域２１２との間の区別を記述するのに役立つ、いくつかの寸法も提供する。より具体的には、図２は、クラウン前面遷移線２２０を示し、これはクラウン２０４の開始部分を表示し、また図２は、凹部領域遷移線２２２を示し、これは凹部領域２１２において、フェースからクラウンへの遷移の終了を表示し、また、図２は、中央領域遷移線２２４を示し、これは、中央領域２１０において、フェースからクラウンへの遷移の終了を表示し、距離ｄ１は、クラウン前方遷移線２２０と中央領域遷移線２２４との間の距離を表し、距離ｄ２は、クラウン前方遷移線２２０と凹部領域遷移線２２２との間の距離を表す。すべての距離の定義およびそれらの間の関係をより明瞭に示すために、図３〜図５が提供されて断面線Ａ−Ａ'およびＢ−Ｂ'の断面図を示す。
【００２５】
添付図面の図３は、図２に示される断面線Ａ−Ａ'に沿う、ゴルフクラブヘッドの断面図を示し、中央遷移領域３１０の幾何形状を説明する。ゴルフクラブヘッド３００の断面図によれば、中央遷移領域３１０は、クラウン前方遷移線３２０の近くの第１の厚さｔ１から中央領域遷移線３２４の近くの第２の厚さｔ２へと変化することが理解でき、中央遷移領域３１０の長さはｄ１である。クラウン部分の第１の厚さから第２の厚さへの遷移をさらに調べるために、図４は円形部分ｘの拡大図を提供する。
【００２６】
添付図面の図４は、図３の円形部分ｘの拡大図を示し、打撃フェース３０２からクラウン３０４の間のクラウン遷移を示す。円形部分ｘの拡大図によれば、クラウン前方遷移線４２０および中央領域遷移線４２４は距離ｄ１で分断される。この事例的な実施例において示されるように、クラウン前方遷移線４２０は、全般的には、クラウンの厚い部分からクラウンの薄い部分への遷移の開始位置を示すことができる。このクラウン前方遷移線４２０は、この考案において定義されるように、ゴルフクラブヘッドが打撃フェース部分４０２からクラウンへと遷移するときのゴルフクラブヘッドの内部の曲率半径の端部で始まる線として定義される。クラウン前方遷移線４２０の厚さｔ１は全般的にはクラウンの後方部分より厚くて良く、これは、ゴルフクラブヘッド４００の最も厚い部分から、クラウンのより小さなストレスを受ける部分のクラウンのより薄い部分へと厚さが変化することを容易にする必要があるからである。
【００２７】
中央領域遷移線４２４は、この事例的な実施例において示されるように、中央遷移領域４１０の終点を示して良い。この中央領域遷移線４２４は、この考案において定義されるように、厚さが０．５０ｍｍまたはそれ以下の値に減少するクラウンの位置である。
【００２８】
この事例的な実施例における厚さｔ１は、全般的には１．００ｍｍより大きくて良い。クラウンの公報部分は前方部分ほど大きなストレスを受けないであろうから、中央領域遷移線４２４の後方のクラウンの厚さｔ２は全般的には０．５０ｍｍと同等かまたは小さくてよい。最後に、距離ｄ１は、中央遷移領域において厚さｔ１からｔ２へ遷移するための長さ、すなわち、距離を図説し、これは全般的には約１０．００ｍｍより大きく、より好ましくは約１０．５０ｍｍより大きく、最も好ましくは、１１．００ｍｍより大きくて良い。代替的には、距離ｄ１は、前方から後方へと測定したときに、クラウンの厚さが０．５０ｍｍと等しいか、大きい、ゴルフクラブヘッド４００のクラウンの部分を指す。換言すると、距離ｄ１は、前方から後方に測定したときに、１．００ｍｍより大きな厚さから０．５ｍｍと等しいか、または小さい厚さへとクラウンの厚さが遷移する、ゴルフクラブヘッド４００のクラウンの部分を指す。
【００２９】
上述の厚さｔ１およびｔ２に基づき、さらに、厚さｔ１から厚さｔ２への遷移に必要な長さｄ１と組み合わせると、中央遷移領域厚さ減少スロープが決定できる。中央遷移領域厚さ減少スロープは、中央遷移領域４１０におけるクラウンの厚さの変化率を指し、これは全般的には約０．０６より小さく、より好ましくは約０．０５５より小さく、最も好ましくは約０．０５より小さくて良い。中央遷移領域厚さ減少スロープは、以下の式（１）に基づいて計算して良い。
中央遷移領域厚さ減少スロープ＝（ｔ１−ｔ２）／ｄ１      式（１）
【００３０】
添付図面の図５は、図２に示される断面線Ｂ−Ｂ'に沿うゴルフクラブヘッド５００の断面図を示し、これは、凹部遷移領域５１２の幾何形状を図説する。上述と同様に、凹部遷移領域５１２は、クラウン前方遷移線５２０の近くの第１の厚さｔ１から、凹部領域遷移線５２２の近くの第２の厚さｔ２へと遷移し、凹部遷移領域の長さはｄ２である。先の説明と同様に、第１の厚さｔ１は、全般的には、１．００ｍｍより大きくて良く、他方第２の厚さｔ２は全般的には０．５０ｍｍと等しいか、または小さくて良い。
【００３１】
添付図面の図６は、図５に示す円形領域ｙの拡大図を示し、打撃フェース部分５０２からクラウン５０４の間のクラウンの遷移を示すためのものである。この拡大図において、凹部遷移領域６１２の厚さ減少スロープは中央遷移領域４１０の厚さ減少スロープと顕著に異なることが明確に理解できる。ここで、厚さｔ１およびｔ２は同じであるけれども、距離ｄ２（クラウン前方遷移線６２０と凹部領域遷移線６２４との間の距離はｄ１に較べて顕著に短く、この結果、厚さ減少スロープがより大きい。より具体的には、距離ｄ２は、全般的には、約７．０ｍｍより小さく、より好ましくは、約６．５ｍｍより小さく、最も好ましくは、約６．０ｍｍより小さくて良い。厚さｔ１およびｔ２が与えられ、これを距離ｄ２と組み合わせて、凹部領域厚さ減少スロープが計算でき、これは、約０．０６より大きく、より好ましくは約０．０７より大きく、最も好ましくは約０．０８より大きくて良い。凹部遷移領域厚さ減少スロープは以下の式（２）に基づいて計算して良い。
凹部遷移領域厚さ減少スロープ＝（ｔ１−ｔ２）／ｄ２        式（２）
凹部遷移領域６１２の厚さ減少スロープは、上述の要求を満たすために、凹部遷移領域６１２の全体に渡って一定である必要がないことに留意されたい。実際、図６に示すゴルフクラブヘッド６００は、これを明確に示し、ここでは、一定の厚さ減少スロープを伴わないクラウン遷移部分を図説している。上述の厚さ減少スロープは距離ｄ２のみに関連し、これは、１．００ｍｍより大きな任意の厚さから、０．５０ｍｍと等しいか、小さいクラウン厚さを持つ点へ遷移するためのクラウン部分を伴う。
【００３２】
添付図面の図７は、この考案の代替的な実施例に従う、２またはそれ以上の複数のクラウン凹部遷移領域７１２を具備するゴルフクラブヘッド７００の斜視図を示す。ここで、クラウン凹部遷移領域７１２における隠れ線は、厚さの変化は内部にあり、ゴルフクラブヘッド７００の外部からは見えないことを示す。内部のクラウン凹部遷移領域７１２の形状および幾何を図説するために、ゴルフクラブヘッド７００の断面図が図８に示され、これは図２に先に示した断面線Ｂ−Ｂ'に沿うものである。
【００３３】
添付図面の図８は、この考案の代替的な実施例に従うゴルフクラブヘッド８００の、図２に先に示す断面線Ｂ−Ｂ'に沿う、斜視図を示し、これは、１またはそれ以上の複数のクラウン凹部遷移領域８１２のうちの１つの形状および幾何を図説する。この実施例において、凹部遷移領域８１２は、ゴルフクラブヘッド８００のキャビティ内において内部に生じる厚さ減少遷移を具備して良く、これは外部から見ることができない厚さの変化を形成する。ここで、クラウン凹部遷移領域８１２のクラウン前方遷移線８２０における厚さｔ１は先に検討したものと類似であり、全般的には、１．００ｍｍより大きくて良く、他方、クラウン凹部遷移領域８１２の後方の凹部領域遷移線８２２における厚さｔ２は、０．５ｍｍと等しいか、または小さくて良い。クラウン凹部遷移領域８１２のより近くの外観を示すために円形領域ｚの接近図が図９に示される。
【００３４】
添付図面の図９は、図８に示す円形領域ｚの拡大断面図を示し、打撃フェース部分９０２およびクラウン９０４の間のクラウン凹部領域９１２の形状および幾何を図説するためのものである。ここで、図９において、内部クラウン凹部遷移領域９１２の拡大図は、ゴルフクラブヘッド９００の内部キャビティ内において、クラウン凹部遷移領域９１２が、厚さｔ１が１．００ｍｍの点から厚さｔ２が０．５０ｍｍと等しいか、または小さい点までどのように変化するかを示す。先に述べたように、厚さの変化はゴルフクラブヘッド９００の外部部分から見ることができない。凹部配置の極性の変化にかかわらず、この内部実施例における、凹部領域厚さ減少スロープは、あたかも、凹部が外部に形成されて同一のタイプの重量節約がクラウンの非ストレス印加部分において実現できる場合と全般的には同一であって良い。この実施例の凹部領域厚さ減少スロープは、また、約０．０６より大きく、より好ましくは、約０．０７より大きく、また最も好ましくは、約０．０８より大きくて良い。
【００３５】
添付図面の図１０は、この考案のさらに他の代替的な実施例に従うゴルフクラブヘッド１０００の斜視図を示す。より具体的には、図１０に示すゴルフクラブヘッド１０００は、クラウン部分１０１４にすでに存在する凹部遷移領域１０１２に加えて、ゴルフクラブヘッド１０００のスカート部分１００８中へと伸びる１また複数の凹部遷移領域１０１２を組み入れて良い。凹部遷移領域１０１２がスカート部分１００８のトウ部分にも付加されて良い理由は、ゴルフクラブヘッド１０００のその部分は、クラウン１００４のヒールおよびトウ部分と同様に、ゴルフボールとの接触時にさほど大きなストレスを受けず、過剰な材料を作示現できるからである。
【００３６】
添付図面の図１１は、この考案の当該代替的な実施例に従うゴルフクラブヘッド１１００のトウ側斜視図を示す。この図から、断面線Ｃ−Ｃ'が形成されて図１２においてスカートのトウ側部分の凹部遷移領域１１１２の内部形状および幾何が図説されることが理解できる。
【００３７】
添付図面の図１２は、この考案の当該代替的な実施例に従うゴルフクラブヘッド１２００の断面図を示す。この図において、円形領域ｗが特定され、図１３において凹部遷移領域１２１２の接近図が図説可能になっている。クラウン部分の凹部遷移領域１１１２（図１１に示す）と同様に、トウのスカート部分の凹部遷移領域１３１２の凹部領域厚さ減少スロープも、約０．０６より大きく、より好ましくは、約０．０７より大きく、また最も好ましくは、約０．０８より大きくて良い。このために図説する。
【００３８】
トウのスカート凹部遷移領域１３１２は、ゴルフクラブヘッド１１００（図１１に示す）のクラウン部分（図１１）、ヒール部分、ソール部分、または、まれには、ホーゼル部分の他の凹部遷移領域１１１２と独立に、または関連して、設けられて良く、これはこの考案の範囲および内容から逸脱しない。換言すれば、打撃フェース部分および本体部分の間の遷移領域の少なくとも一部が、凹部遷移領域を含み、凹部領域厚さ減少スロープが、約０．０６より大きく、より好ましくは、約０．０７より大きく、また最も好ましくは、約０．０８より大きくて良いということができる。
【００３９】
実施例の外に、または、とくにことわらない限りは、すべての数の範囲、量、値およびパーセンテージ例えば明細書中の材料の量、慣性モーメント、重心位置、ロフト、ドラフト角度、種々の性能比、その他に関するそのようなものは、値、量、または範囲とともに明瞭に「約」の用語が表示されていなくてもそのような用語「約」があるものとして認識することができる。したがって、そうでないと示されない限り、明細書および特許請求の範囲の数字のパラメータは近似であり、これはこの考案により実現されることがのぞまれる所望の特性に応じて変化する。実用新案登録請求の範囲の均等理論の適応を排除する意図はないが、少なくとも、各数量のパラメータは報告された実行桁数の下で理解され、通常の丸め手法により把握すべきである。
【００４０】
この考案の広い範囲を示す数量の範囲およびパラメータは近似であるけれども、明細書の例に示された数量の値はできる限り正確に報告されている。ただし、いずれの数量の値も、各実験の測定に見いだされる標準偏差に起因する必然的な誤差を内在する。さらに、種々のことがらについて数量の範囲が示される場合には、指摘した値の範囲で、それらを組み合わせたものが利用できることを理解されたい。
【００４１】
以上は、この考案の例示の実施例に関するものであり、以下の特許請求の範囲で示される考案の範囲および程度を逸脱することなく修正を行えることはもちろんであることに留意されたい。
以下、ここで説明した技術的特徴を列挙する。
［技術的特徴１］
ゴルフクラブヘッドであって、
上記ゴルフクラブヘッドの前面部分に位置決めされる打撃フェース部分と、
上記打撃フェース部分の後方部分に結合する本体部分とを有し、
上記本体部分は、さらに、
上記打撃フェース部分の後方の上側部分に結合されるクラウン部分と、
上記打撃フェース部分の後方の底側部分に結合されるソール部分と、
上記クラウン部分を上記ソール部分に周回させて結合するスカート部分とを有し、
上記クラウン部分、上記ソール部分、および上記スカート部分の少なくとも１つが凹部遷移領域を有し、
上記凹部遷移領域の凹部遷移領域厚さ減少スロープが約０．０６より大きく、
上記凹部遷移領域厚さ減少スロープは、上記凹部遷移領域の厚さの変化を上記凹部遷移領域の長さで割ったものとして定義されることを特徴とするゴルフクラブヘッド。
［技術的特徴２］
上記凹部遷移領域の凹部遷移領域厚さ減少スロープが約０．０７より大きい技術的特徴１記載のゴルフクラブヘッド。
［技術的特徴３］
上記凹部遷移領域の凹部遷移領域厚さ減少スロープが約０．０８より大きい技術的特徴２記載のゴルフクラブヘッド。
［技術的特徴４］
上記凹部遷移領域は上記ゴルフクラブヘッドのクラウン部分に位置決めされる技術的特徴１記載のゴルフクラブヘッド。
［技術的特徴５］
上記凹部遷移領域は上記クラウンの中央遷移領域に位置決めされる技術的特徴４記載のゴルフクラブヘッド。
［技術的特徴６］
上記中央遷移領域は約０．０６より小さい中央遷移領域厚さ減少スロープを有し、上記中央遷移領域厚さ減少スロープは、上記中央遷移領域における厚さの変化を上記中央遷移領域の長さで割ったものとして定義される技術的特徴５記載のゴルフクラブヘッド。
［技術的特徴７］
上記中央遷移領域厚さ減少スロープは、約０．０５５より小さい技術的特徴６記載のゴルフクラブヘッド。
［技術的特徴８］
上記中央遷移領域厚さ減少スロープは、約０．０５より小さい技術的特徴６記載のゴルフクラブヘッド。
［技術的特徴９］
上記凹部遷移領域は上記ゴルフクラブヘッドのスカート部分に位置決めされる技術的特徴１記載のゴルフクラブヘッド。
［技術的特徴１０］
上記凹部遷移領域は上記ゴルフクラブヘッドのキャビティ内に位置決めされる技術的特徴１記載のゴルフクラブヘッド。
［技術的特徴１１］
ゴルフクラブヘッドであって、
上記ゴルフクラブヘッドの前面部分に位置決めされる打撃フェース部分と、
上記打撃フェース部分の後方部分に結合する本体部分とを有し、
上記本体部分は、さらに、
上記打撃フェース部分の後方の上側部分に結合されるクラウン部分と、
上記打撃フェース部分の後方の底側部分に結合されるソール部分と、
上記クラウン部分を上記ソール部分に周回させて結合するスカート部分とを有し、
上記クラウン部分は、さらに、
中央遷移領域と、
２またはそれ以上の複数の凹部遷移領域とを有し、
上記２またはそれ以上の複数の凹部遷移領域はヒールおよびトウの方向に上記中央遷移領域から離れて位置決めされることを特徴とするゴルフクラブヘッド。
［技術的特徴１２］
上記２またはそれ以上の複数の凹部遷移領域の凹部遷移領域厚さ減少スロープが約０．０６より大きく、
上記凹部遷移領域厚さ減少スロープは、上記凹部遷移領域の厚さの変化を上記凹部遷移領域の長さで割ったものとして定義される技術的特徴１１記載のゴルフクラブヘッド。
［技術的特徴１３］
上記２またはそれ以上の複数の凹部遷移領域は、すべて、同一の凹部遷移領域厚さ減少スロープを有する技術的特徴１２記載のゴルフクラブヘッド。
［技術的特徴１４］
上記２またはそれ以上の複数の凹部遷移領域の少なくとも１つは、上記２またはそれ以上の複数の凹部遷移領域の他の１つと異なる凹部遷移領域厚さ減少スロープを有する技術的特徴１２記載のゴルフクラブヘッド。
［技術的特徴１５］
上記中央遷移領域は約０．０６より小さい中央遷移領域厚さ減少スロープを有し、上記中央遷移領域厚さ減少スロープは、上記中央遷移領域における厚さの変化を上記中央遷移領域の長さで割ったものとして定義される技術的特徴１２記載のゴルフクラブヘッド。
［技術的特徴１６］
上記２またはそれ以上の複数の凹部遷移領域の長さ距離は約７．０ｍｍより小さい技術的特徴１２記載のゴルフクラブヘッド。
［技術的特徴１７］
上記長さ距離は約６．５ｍｍより小さい技術的特徴１６記載のゴルフクラブヘッド。
［技術的特徴１８］
上記長さ距離は約６．０ｍｍより小さい技術的特徴１７記載のゴルフクラブヘッド。
［技術的特徴１９］
上記凹部遷移領域は上記ゴルフクラブヘッドのキャビティ内に位置決めされる技術的特徴１１記載のゴルフクラブヘッド。
［技術的特徴２０］
ゴルフクラブヘッドであって、
上記ゴルフクラブヘッドの前面部分に位置決めされる打撃フェース部分と、
上記打撃フェース部分の後方部分に結合する本体部分とを有し、
上記本体部分は、さらに、
上記打撃フェース部分の後方の上側部分に結合されるクラウン部分と、
上記打撃フェース部分の後方の底側部分に結合されるソール部分と、
上記クラウン部分を上記ソール部分に周回させて結合するスカート部分とを有し、
上記クラウン部分、上記ソール部分、および上記スカート部分の少なくとも１つが凹部遷移領域を有し、
上記凹部遷移領域は上記ゴルフクラブヘッドのキャビティ内に位置決めされることを特徴とするゴルフクラブヘッド。
【符号の説明】
【００４２】
１００    ゴルフクラブヘッド
１０２    打撃フェース部分
１０４    クラウン部分
１０６    ソール部分
１０８    スカート部分
１１０    中央遷移領域
１１２    凹部遷移領域
【図１】
0003210519.tif 000003
【図２】
0003210519.tif 000004
【図３】
0003210519.tif 000005
【図４】
0003210519.tif 000006
【図５】
0003210519.tif 000007
【図６】
0003210519.tif 000008
【図７】
0003210519.tif 000009
【図８】
0003210519.tif 000010
【図９】
0003210519.tif 000011
【図１０】
0003210519.tif 000012
【図１１】
0003210519.tif 000013
【図１２】
0003210519.tif 000014
【図１３】
0003210519.tif 000015